(57)【要約】排泄物収集器（１）と、給水システム（２）と、汚物負圧吸引システム（３）とを備えた排泄ケア器具用渦水流洗浄システムであって、排泄物収集器（１）の両端のそれぞれには、開口及び出口が設けられ、開口と出口との間には、壁が滑らかな曲面である排泄物収集キャビティが開口から出口への方向に沿って次第に小さくなるように設けられている。排泄物収集器には、それぞれ排泄物収集キャビティと連通する吸気孔（１６）及び入水孔（１５）が排泄物収集キャビティの壁の接線方向に沿うように設けられている。給水システム（２）は、入水孔と接続されている。汚物負圧吸引システム（３）は、出口（１２）と接続されている。排泄物収集器に吸気孔及び入水孔が排泄物収集キャビティの接線方向に沿うように設けられているため、接線方向から入った水及び空気が、排泄物収集キャビティの内壁に沿って螺旋状の渦流を形成し、排泄物を洗い流すと共に、排泄物収集キャビティに対するあらゆる方向の洗浄を実現することができ、水を押し込むための高圧水ポンプが不要となる。
2019515747.tif 000002
【特許請求の範囲】
【請求項１】
排泄物収集器と、給水システムと、汚物負圧吸引システムとを備え、
前記排泄物収集器の両端のそれぞれには、開口及び出口が設けられ、前記開口と前記出口との間には、壁が滑らかな曲面である排泄物収集キャビティが前記開口から前記出口への方向に沿って次第に小さくなるように設けられており、前記排泄物収集器には、それぞれ前記排泄物収集キャビティと連通する吸気孔及び入水孔が前記排泄物収集キャビティの壁の接線方向に沿うように設けられており、
前記給水システムは、前記入水孔と接続され、水を供給するために用いられ、
前記汚物負圧吸引システムは、前記出口と接続され、負圧によって前記排泄物収集キャビティ内の洗浄混合物を抽出するために用いられることを特徴とする排泄ケア器具用渦水流洗浄システム。
【請求項２】
前記吸気孔及び前記入水孔は、結合されて水と空気兼用の１つの結合孔となっていることを特徴とする請求項１に記載のシステム。
【請求項３】
前記排泄物収集器の外壁には、一端に２つの入口が設けられ、他端に１つの出口が設けられた流れガイドカバーが配置され、前記入口と前記出口との間には流路が設けられ、前記流れガイドカバーの出口と前記排泄物収集器の結合孔とが接続され、前記流れガイドカバーの１つの入口と前記給水システムとが接続されていることを特徴とする請求項２に記載のシステム。
【請求項４】
前記流れガイドカバーの流路は、前記排泄物収集器の結合孔が前記排泄物収集キャビティの壁の接線方向に沿って延長されたものであり、且つ出口から入口への方向に沿って次第に大きくなっていることを特徴とする請求項３に記載のシステム。
【請求項５】
それぞれ前記給水システムと接続された前記入水孔が複数設けられていることを特徴とする請求項１に記載のシステム。
【請求項６】
前記開口の縁部は、人の臀部形状に適合する湾曲形状であることを特徴とする請求項４又は５に記載のシステム。
【請求項７】
前記開口の縁部には、外部へ延在する支持片が設けられていることを特徴とする請求項６に記載のシステム。
【請求項８】
前記排泄物収集キャビティは、漏斗状形状であることを特徴とする請求項７に記載のシステム。
【請求項９】
前記排泄物収集器の外側の下端は、扁平形状であることを特徴とする請求項８に記載のシステム。
【請求項１０】
前記給水システムは、水ポンプ及び水タンクを含み、前記水ポンプは、水管を介して前記排泄物収集器及び前記水タンクと接続されていることを特徴とする請求項９に記載のシステム。
【請求項１１】
前記汚物負圧吸引システムは、入口及び出口が設けられた汚物用タンク、及び、負圧ポンプを含み、前記汚物用タンクの入口は、管路を介して前記排泄物収集器の出口と接続され、前記汚物用タンクの出口は、管路を介して前記負圧ポンプと接続されていることを特徴とする請求項１０に記載のシステム。
【請求項１２】
前記汚物用タンクの入口及び出口は、上部に設けられていることを特徴とする請求項１１に記載のシステム。
【発明の詳細な説明】
【技術分野】
【０００１】
本発明は、ヒューマンケア機器に関し、特に排泄ケア器具用渦水流洗浄システムに関する。
【背景技術】
【０００２】
排泄ケア器具は主に、セルフケア能力を有さない人のための排泄物の洗浄に用いられ、使用の際に人の排泄箇所に直接置かれ、人の排泄物を収集して処理すると共に、人の臀部を洗浄するものである。
【０００３】
既存の排泄ケア器具は、一般的に排泄物を２段階で処理する。第１段階では、噴射水流で排泄物収集キャビティの底部に沿って排泄物収集キャビティを洗浄するが、セクションごとに洗浄し、給水システムが複雑という欠点、及び、スペースの制限によって噴射口の洗浄範囲がキャビティ全体を覆うことができず排泄物が残留するという欠点がある。
【０００４】
人の臀部及び肛門、女性の尿道口を清潔にする既存の排泄ケア器具については、水流の噴射で洗い流す方法を採用している。例えば、出願番号がＣＮ２０１０１０２０９５３８．５、ＣＮ２００８２０２２７４２９．４及びＣＮ２０１０１０１９６６９０．４である特許は、直射式水流である。しかし、人の個体差が大きく、噴射口の正確な位置合わせが困難であるため、洗浄の効果が劣り、また、水流が内側から外側へ噴射するため、人体とシートリングとの間の密封が不十分であり、漏水が発生するという欠点がある。別の既存の渦水流洗浄構造は、人の全ての排泄エリアを洗浄することができるが、渦水流の方式により高速渦水流の発生ができないため、洗浄効果が限られる。また、多孔質空気流噴射構造において、孔の方向や配置に対する要件も高い。さもなければ、渦の効果が影響され、安定性が悪く、特殊形状面及び扁平化された排泄物収集キャビティのベースに適合することが困難である。
【０００５】
従来技術における渦水流処理方法はまだ登場したばかりである。特許ＷＯ２０１４１８３２６９Ａ１に開示された渦水流洗浄の原理のように、その機能として、人の皮膚の洗浄にのみ使用され、排泄物及び排泄物収集キャビティに対する水流の再利用はなく、節水効果が顕著ではない。
【発明の概要】
【発明が解決しようとする課題】
【０００６】
最も重要なのは、このような多孔質気体噴射の方式は、渦気流の回転速度が低く、平面上でのみ渦気流が発生するため、キャビティ全体の気流は回転することができず、水流を駆動する力が限られ、洗浄効果が最適ではないことである。
【課題を解決するための手段】
【０００７】
本発明は、排泄物収集器と、給水システムと、汚物負圧吸引システムとを備える排泄ケア器具用渦水流洗浄システムを提供する。前記排泄物収集器の両端のそれぞれには、開口及び出口が設けられ、前記開口と前記出口との間には、壁が滑らかな曲面である排泄物収集キャビティが前記開口から前記出口への方向に沿って次第に小さくなるように設けられている。前記排泄物収集器には、それぞれ前記排泄物収集キャビティと連通する吸気孔及び入水孔が前記排泄物収集キャビティの壁の接線方向に沿うように設けられている。前記給水システムは、前記入水孔と接続され、水を供給するために用いられる。前記汚物負圧吸引システムは、前記出口と接続され、負圧によって前記排泄物収集キャビティ内の洗浄混合物を抽出するために用いられる。
【発明の効果】
【０００８】
本発明に係る排泄ケア器具用渦水流洗浄システムにおいて、排泄物収集器に吸気孔及び入水孔が排泄物収集キャビティの接線方向に沿って設けられており、さらに、入水孔が給水システムと接続され、出口が汚物負圧吸引システムと接続されているために、排泄物収集器の開口が人の臀部に置かれると、汚物負圧吸引システムが空気を抽出することで、排泄物収集キャビティ内において負圧が発生する。水及び空気は、負圧の作用によって入水孔及び吸気孔を介して接線方向に沿って排泄物収集キャビティ内に入り、排泄物収集キャビティの壁が滑らかな曲面であり、開口から出口への方向に沿って次第に小さくなり、これにより、接線方向から入った水及び空気が、排泄物収集キャビティの内壁に沿って螺旋状の渦流を形成して、排泄物収集キャビティ内の排泄物を外部へ洗い流す。水と空気の渦流による洗浄範囲が広く、効果が優れ、排泄物を洗い流すと共に、排泄物収集キャビティに対するあらゆる方向の洗浄及び節水を実現することができる。当該洗浄装置の排泄物収集キャビティに入った水及び空気が混合されることにより、渦水流が負圧空気によって回転し、渦流の効果が良好になる。また、水源を押し込むための高圧水ポンプが不要となり、コストが削減される。
【図面の簡単な説明】
【０００９】
以下、図面と併せて、本発明に係る具体的な実施形態について詳細に説明する。
【図１】実施形態における排泄ケア器具用渦水流洗浄システムの概略構成図である。
【図２】実施形態における排泄物収集器の１つの視点からの概略構成図である。
【図３】実施形態における排泄物収集器の別の視点からの概略構成図である。
【図４】実施形態における排泄物収集器の使用場面図である。
【発明を実施するための形態】
【００１０】
１つの実施形態において、本発明は、人の股の下方、臀部に置かれ、人の排泄物を収集して、人の排泄器官を清潔にすると共に、排泄物を汚物用タンク内に排出するための排泄ケア器具用渦水流洗浄システムを提供する。当該洗浄システムのサイズは、人々の異なるニーズに応じて同じ比率で拡大縮小することができる。例えば、年齢の低い人には、洗浄システムのサイズを小さくすればよく、大人又は体型の大きい人には、洗浄システムのサイズを大きくすればよい。
【００１１】
図１に示すように、本実施形態における排泄ケア器具用渦水流洗浄システムは、排泄物収集器１と、給水システム２と、汚物負圧吸引システム３とを備えている。給水システム２及び汚物負圧吸引システム３は、それぞれ排泄物収集器１と接続されている。
【００１２】
図２及び図３に示すように、排泄物収集器１の両端のそれぞれには、開口１１及び出口１２が設けられ、開口１１と出口１２との間には、排泄物収集器１の壁によって囲まれてなる排泄物収集キャビティ１３が設けられている。排泄物収集キャビティ１３の両端のそれぞれは、出口１２、及び出口１２より大きい開口１１を有している。排泄物収集キャビティ１３は、漏斗形状に類似し、開口１１から出口１２への方向に沿って次第に小さくなり、壁が滑らかな曲面である。これにより、排泄物収集器１の水流は、渦となって排泄物収集キャビティ１３の壁に沿って出口１２へ流れることができる。開口１１の縁部は、人の臀部構造に適合する湾曲形状である。即ち、開口１１の縁部は、人の臀部構造の外形と一致する。これにより、開口１１は、人の臀部、股の下方に置かれると、人の排泄器官を被覆し、且つ完全に密封することができる。開口１１の縁部には、外部へ延在し、平滑面の表面を有する支持片１４がさらに設けられている。支持片１４は、人が排泄物収集器１を使用する際により快適になるように、人体の接触面積を増加させる役割を有する。快適性をさらに改善するために、外部へ延在する支持片１４上には、柔軟性を有するクッションシートが取り付けられる。排泄物収集キャビティ１を置きやすくするため、また、人がより快適に使用できるために、排泄物収集器１の外側の下端は、扁平形状となっている。
【００１３】
排泄物収集器１には、入水孔１５及び吸気孔１６がさらに設けられている。入水孔１５と吸気孔１６とは、結合されることによって排泄物収集キャビティ１３と連通する１つの結合孔となっている。本実施形態における入水孔１５は、吸気孔１６内に取り付けられる入水管で代替されてもよい。結合孔は、排泄物収集キャビティ１３の内壁の接線方向に沿った方向を向いている。即ち、結合孔内からの水又は空気の噴射方向は、排泄物収集キャビティ１３の壁に沿った方向である。これにより、結合孔から出る入水及び空気は、慣性により排泄物収集キャビティ１３の壁に沿って螺旋運動を行う。水及び空気をより良好に導入するために、排泄物収集器１の外側の結合孔の開口には、一端に出口が設けられ、他端に２つの入口が設けられた流れガイドカバー１７が取り付けられている。出口と入口との間は流路を有し、出口と結合孔とが接合されることにより、流路と結合孔とが連通している。２つの入口のうち、１つは、空気を入れるために自然に開いており、もう１つは、洗浄水を入れるために給水システムと接続されている。流れガイドカバー１７の流路は、結合孔と同じ方向に、且つ排泄物収集キャビティ１３の壁の接線方向に沿って配置されている。即ち、流れガイドカバー１７の流路は、結合孔が外部へ延長されたものであり、入口から出口への方向に沿って次第に大きくなっている。即ち、水及び空気を結合孔内に共に導入しやすいように、流路は、扁平なラッパ形状となっている。好ましくは、流れガイドカバー１７には、１つの入口及び１つの出口が設けられている。流れガイドカバー１７の流路内には、給水システム２と直接接続され、水を排泄物収集キャビティ１３内に導入するための入水管が取り付けられている。
【００１４】
別の実施形態では、入水孔１５が給水システム２と直接接続され、吸気孔１６が外気と接続されるように、入水孔１５及び吸気孔１６は別々に設けられる。清浄水をより良好に導入するために、排泄物収集器１には、給水システム２とそれぞれ接続される複数の入水孔１５が同一の円周上に設けられる。入水孔１５、吸気孔１６及び本実施形態における結合孔の方向は、同じであり、それぞれ排泄物収集キャビティ１３の壁の接線方向である。円周に沿った同一方向の入水孔１５の噴射角度により、複数の入水孔１５から噴射された洗浄水が螺旋状の渦流となる。
【００１５】
給水システム２は、水ポンプ２１及び水タンク２２を含む。水ポンプ２１は、入水孔がパイプを介して水タンク２２と接続されており、吸気孔がパイプを介して流れガイドカバー１７の入口と接続されている。水ポンプ２１は、水タンク２２内の洗浄水が排泄物収集キャビティ１３内に導入されるような、小型ローパワーの水ポンプである。
【００１６】
汚物負圧吸引システム３は、入口及び出口を上部に有する汚物用タンク３１、及び、負圧ポンプ３２を含む。汚物用タンク３１の上部は空気流路となっており、汚物用タンク３１の入口は、管路を介して排泄物収集器１の出口１２と接続され、汚物用タンク３１の出口は、管路を介して負圧ポンプ３２と接続されている。負圧ポンプ３２は、まず汚物用タンク３１が負圧になるように空気を吸入してから、排泄物収集キャビティ１３が負圧になるように空気を吸入する。排泄物収集キャビティ１３内の排泄物、洗浄水及び空気の混合物は、負圧によって汚物用タンク３１内まで抽出される。
【００１７】
図４に示すように、実際の使用において、排泄物収集器１を、開口が上方に位置するように取付座４に取り付ける。取付座４は、人が排泄物収集器１をより快適に使用するために、人が仰向きに横になるのに適した板を有している。
【００１８】
本実施形態における排泄ケア器具用渦水流洗浄システムの動作原理は、以下の通りである。排泄物収集器１が人の股の下方、臀部に置かれると、排泄物収集器１の開口１１が人体にフィットし、且つ人体によって完全に封鎖されて、人の排泄器官が排泄物収集キャビティ１３内に覆われる。人の排泄後、負圧ポンプ３２は、起動されると、汚物用タンク３１及び排泄物収集キャビティ１３が順に負圧になるように空気を吸引し、これにより、排泄物収集キャビティ１３内の圧力が大気圧よりも低く、空気が大気圧によって流れガイドカバー１７の入口から排泄物収集キャビティ１３内まで押し込まれると共に、水ポンプ２１が起動される。水タンク２２内の洗浄水は、水ポンプ２１によって排泄物収集キャビティ１３内まで搬送され、気圧の駆動により、洗浄水及び空気は、排泄物収集キャビティ１３内に噴射される。結合孔が排泄物収集キャビティ１３の壁に接する方向を向いているため、噴射された洗浄水及び空気が混合される。水と空気の混合物が慣性によって排泄物収集キャビティ１３の壁に沿って螺旋運動を行うことにより、螺旋状の渦流が形成される。負圧が一定の程度まで増大すると、水と空気の混合物の渦流が強くなり、排泄物収集キャビティ１３内の排泄物は、水と空気の混合物の渦流によって汚物用タンク３１内に排出される。また、水と空気の混合物が流れる過程において人の排泄器官を洗浄することができ、人体及び排泄物収集キャビティ１３を洗浄した後、水ポンプ２１及び負圧ポンプ３２が閉じられ、人の排泄物へのケアが終了する。
【００１９】
本実施形態における排泄ケア器具用渦水流洗浄システムにおいて、排泄物収集器１に入水孔１５及び吸気孔１６が排泄物収集キャビティ１３の接線方向に沿って設けられており、さらに、入水孔１５が給水システム２と接続され、出口１２が汚物負圧吸引システム３と接続されることにより、排泄物収集器１の開口１１が人の臀部に置かれると、汚物負圧吸引システム３が空気を抽出することで、排泄物収集キャビティ１３内において負圧が発生する。水及び空気は、負圧の作用によって入水孔及び吸気孔を介して接線方向に沿って排泄物収集キャビティ１３内に入り、排泄物収集キャビティ１３の壁が滑らかな曲面であり、開口１１から出口２への方向に沿って次第に小さくなり、これにより、接線方向から入った水及び空気が、排泄物収集キャビティ１３の内壁に沿って螺旋状の渦流を形成して、排泄物収集キャビティ１３内の排泄物を外部へ洗い流す。水と空気の渦流による洗浄範囲が広く、効果が優れ、排泄物を洗い流すと共に、排泄物収集キャビティ１３に対するあらゆる方向の洗浄及び節水を実現することができる。当該洗浄装置の排泄物収集キャビティ１３に入った水及び空気が混合されることにより、渦水流が負圧空気によって回転し、渦流の効果が良好になる。また、水源を押し込むための高圧水ポンプが不要となり、コストが削減される。
【００２０】
以上、具体的な例を用いて本発明について詳述したが、上記の実施形態は、本発明の理解を深めるためのものにすぎず、本発明を限定するものではない。本発明が属する分野の当業者は、本発明の趣旨に基づいて、ほかの複数の簡単な演繹、変形又は置換を行うことができる。
【図１】
2019515747.tif 000003
【図２】
2019515747.tif 000004
【図３】
2019515747.tif 000005
【図４】
2019515747.tif 000006
【国際調査報告】
2019515747.tif 000007
2019515747.tif 000008
2019515747.tif 000009
2019515747.tif 000010